(57)【要約】      （修正有）【課題】安価かつ簡単に携帯することができ、しかも随時適量を取り出すことができる塗香用の容器を提供する。【解決手段】カードの内部に中空部２を有するとともに、中空部２に対応するカードの表面部６にレーザー加工による多数の細孔３からなるパターンを有し、中空部２には塗香粉４が封入されている。パターンは、レーザー加工により形成される。【選択図】図１
0003167644.tif 000002
【実用新案登録請求の範囲】
【請求項１】
カードの内部に中空部を有するとともに、該中空部に対応するカードの表面部に多数の細孔からなるパターンを有し、該中空部には塗香粉が封入されていることを特徴とする塗香カード。
【請求項２】
上記多数の細孔からなるパターンは、レーザー加工により形成されたものであることを特徴とする請求項１に記載の塗香カード。
【考案の詳細な説明】
【技術分野】
【０００１】
本考案は、塗香カードに関する。
【背景技術】
【０００２】
香は古くから国内外で使用されている。香に用いる香料・香材の種類は、数千にものぼるといわれている。香の種類によっては、精神統一効果やリラックス効果など、様々な効果が得られることが知られている。
【０００３】
香の利用形態としては、焼香・塗香・香水・含香・線香・掛香などがあり、中でも塗香は、現代では写経をするときに行い、粉末にした香料を体に塗るか、本尊に備えるものである。
これまで塗香の際は、容器に詰めた香を指先に受けて体に塗るか、本尊に備えていた。
容器に詰めた香を容器から出して使用するときに誤って零したり、体に塗る際に取る量を誤ったりすることがあり、適量を確実に取り出すことは困難であった。
【０００４】
このため塗香の容器としては、適量を確実に取り出すことができ、かつ小型の塗香容器が考案されている（特許文献１、２参照）。
ところがこのような塗香容器は、適量を確実に取り出すことができるが、容器の構造が複雑となって、コスト高となるという問題点があった。また携帯のため容器の素材を選択して軽量化しても、円筒状の構造上、嵩張るという欠点があった。
【先行技術文献】
【特許文献】
【０００５】
【特許文献１】実用新案登録第３０９０２７１号公報
【特許文献２】実用新案登録第３１３９２４３号公報
【考案の開示】
【考案が解決しようとする課題】
【０００６】
本考案は、これまでに述べた従来技術の問題点を解決し、安価かつ簡単に携帯することができ、しかも随時適量を取り出すことができる塗香用の容器を提供することを課題とする。
【課題を解決するための手段】
【０００７】
上記課題は、次のような塗香カードとすることにより解決される。
（１）カードの内部に中空部を有するとともに、該中空部に対応するカードの表面部に多数の細孔からなるパターンを有し、該中空部には塗香粉が封入されていることを特徴とする塗香カード。
（２）上記多数の細孔からなるパターンは、レーザー加工により形成されたものであることを特徴とする上記（１）に記載の塗香カード。
【考案の効果】
【０００８】
本考案によれば、細孔の径及び細孔の数を調整することにより、１回の振り出しで出る塗香粉の量を調整できるため、零したりすることなく適量を振り出すことができる。
またカード状であるため携帯に便利で使い勝手がよい。
さらに多数の細孔からなるパターンは、レーザー加工により形成されるため、塗香カードの表面に、装飾性に富んだ花柄・ロゴ・マーク等のパターンを安価に形成することができる。
【図面の簡単な説明】
【０００９】
【図１】本考案に係る塗香カードを説明するための概略図であり、（ａ）は平面図、（ｂ）はそのＡ−Ａ断面図である。
【図２】図１（ｂ）に示す断面図の部分拡大図である。
【考案を実施するための形態】
【００１０】
図１は、本考案に係る塗香カードを説明するための概略図である。図１において、（ａ）は本考案に係る塗香カードの一実施形態の平面図である。また（ｂ）は、そのＡ−Ａ断面図を示す。
【００１１】
塗香カード１には表面部６及び裏面部７があり、表面部６及び裏面部７は周囲の封止部５により接合されていて内部に中空部２が形成されている。
なお図１ではカードの厚みが、説明のため誇張されて記載されている。
封止部５の厚みは、塗香カードの使途によって適宜選定される。
【００１２】
図１（ａ）及び図１（ｂ）に示す断面図の部分拡大図である図２から分かるように、中空部２に対応する表面部６の一部には、多数の細孔３からなる花柄のパターンが形成されている。
なお細孔３は、図１（ａ）では白抜きで表示されている。
【００１３】
中空部２には塗香粉４が封入されている。中空部２に封入されている塗香粉４は、塗香カード１を振ることにより、表面部６に形成された多数の細孔３から振り出され、これを体に塗ることができる。
【００１４】
次に図１に示す塗香カードの実施形態を詳細に説明する。
表面部６として名刺サイズの紙片を用意し、中空部２に対応する表面部６の部分の一部に、多数の細孔からなる花柄のパターンをレーザー加工により形成する。
この多数の細孔からなるパターンは、花柄のパターンのみならず、単なる細孔の配列パターンであってもよい。あるいは、ロゴ・マーク等のパターンであってもよい。
【００１５】
封入した塗香粉４を適量振り出すことができるように、細孔の径が決定される。
細孔の径は、塗香粉４の平均粒径の２倍程度、０．１ミリ〜０．２ミリの範囲とするのが好ましい。
また塗香粉４の粒径に変更がある場合であっても、細孔がレーザー加工であるため容易に調節が可能である。
塗香カードから１回に振り出される塗香粉の量は、細孔の径と細孔の数との積で決まるため、塗香カードの用途等に応じて適宜設計されることになる。
【００１６】
次に裏面部７として名刺サイズの紙片を用意し、その中央部分に所望の量の塗香粉４を置きその上から多数の細孔からなるパターンが形成された表面部６を被せることにより、表面部６と裏面部７との間の中空部に塗香粉４を封入する。
【００１７】
封入のために表面部６又は裏面部７の一方又は両方の周囲の封止部に予め、粘着テープ、粘着材、接着材あるいは接着材付きのスペーサー等を用意しておく。封止部の厚みにより、中空部の大きさが決定される。これにより封入可能な塗香粉４の量及び塗香カードの厚みが決定される。
【００１８】
以上塗香カードについて好ましい実施形態を説明したが、本考案はこれに限定されるものではなく、本考案の要旨を逸脱しない範囲内において適宜の変更が可能である。
【００１９】
例えば表面部６及び裏面部７の素材として名刺サイズの紙片を例示したが、表面部６又は裏面部７の一方あるいは両方が薄い樹脂、布、アルミ等の金属片であってもよい。また塗香カードの大きさは名刺サイズに限らず適宜の大きさとすることができる。
【００２０】
本実施形態では、多数の細孔からなるパターンをレーザー加工により形成しているが、素材あるいは塗香粉４の粒径によってはこれに代えて、機械による孔開け加工あるいはエッチング加工を選択することもできる。
【００２１】
さらに、本考案に係る塗香カードは、塗香粉の振り出しだけではなく、カード形状であるため引き出し内、着物収納などにおいて場所をとらずに香袋としても使用することができる。
【符号の説明】
【００２２】
１  塗香カード
２  中空部
３  多数の細孔からなるパターン
４  塗香粉
５  封止部
６  表面部
７  裏面部
【図１】
0003167644.tif 000003
【図２】
0003167644.tif 000004